(57)【特許請求の範囲】
【請求項１】
被調理物を調理する焙焼室と、前記焙焼室の開口に設けられガラスと前記ガラスの取付け枠とを有するガラスドアと、前記焙焼室からの出し入れが自在であって被加熱物からの調理飛散物を受ける受け皿と、前記受け皿と一体となり先端に受け皿方向への折り返し部を有するとともに前記折り返し部が前記取付け枠に設けた係合口に挿入されて前記取付け枠と係合するホウロウ塗装された支持金具とを備え、前記折り返し部の先端部又は前記折り返し部をさらに折り曲げて形成される面と前記取付け枠の内側とが当接して前記ガラスドアと前記受け皿とが係合されるとともに、前記折り返し部の根元の折り曲げ部は、前記支持金具が前記取付け枠と係合しても前記係合口より離れた位置になるべく折り曲げられてなる焙焼器。
【請求項２】
支持金具の先端の折り返し部の受け皿方向への曲げ角度を鋭角にする構成とした請求項１に記載の焙焼器。
【請求項３】
支持金具の先端の折り返し部をコの字状にする構成とした請求項１に記載の焙焼器。
【発明の詳細な説明】
【０００１】
【発明の属する技術分野】
本発明は焙焼器に関し、特に焙焼室のガラスドアと受け皿とを係合する構成に関する。
【０００２】
【従来の技術】
従来のこの種の焙焼器を例えば誘導加熱調理器に用いられている焙焼器を用いて説明する。
【０００３】
図６は誘導加熱調理の調理器の斜視図である。図に示すように本体ケース１の上面に透光性の天板２が設けられている。この天板２には誘導加熱によって鍋を加熱し被調理物を調理する加熱部３と誘導加熱では使えない鍋を用いて調理するラジエントヒータ４とが設けられている。また本体ケース１の前方側面には焙焼器５と操作部６とが設けられ、さらに本体ケース後方上面に焙焼器５で調理した場合にでる煙などのガスを排出する排出口５ａが設けられている。
【０００４】
前記構成における焙焼器５について説明する。図７は焙焼器５の要部断面図である。図において、７は焙焼室、８は魚などを焼いたときに生ずる油や飛散物を受ける受け皿であり、９は受け皿８を支持する支持金具である。１０はガラス枠、１１はガラス板、１２は被調理物の出し入れを行う把手、１３はガラス板１１を固定するための保護枠、１４は前板であり。このガラス枠１０、ガラス板１１、把手１２、保護枠１３および前板１４でガラスドアを構成している。また、１５はドアバネでありこれを操作することにより受け皿とガラスドアとの結合または分離を行っていた。なお、１６はガラス枠１０に設けられた係合口であり、この係合口１６に支持金具９を挿入し係合していた。これにより、支持金具９は受け皿８を安定に保持していた。
【０００５】
【発明が解決しようとする課題】
しかしながら、前記構成で受け皿８とガラスドアとを支持金具９を介して係合口１６で係合する場合、がたつきがなくしっかりと固定させるのはやっかいなことであった。すなわち図８（ａ）は係合口１６より支持金具９の折り曲げ部１８を挿入し、係合口内部で支持金具９とガラス枠１０とが、面接触１７することにより受け皿に加わる回転モーメントＭを受け、がたつきを生じないようにした場合である。ところが実際には支持金具９をホウロウ塗装するためにホウロウ液に浸漬し、その後乾燥する。この工程でホウロウ液が支持金具９の折り曲げ部１８に溜まり、図８（ｂ）に示すように折り曲げ部１８の面上に堆積し塊１９となる。この塊１９がある状態でガラス枠１０と係合すると、図８（ｃ）に示すように支持金具９とガラス枠１０との面接触が完全でなく隙間２０が生ずる。この状態で受け皿８に回転モーメントＭが加わると支持金具９は動く。すなわち受け皿８ががたつきの状態となる。これを防ぐために塊１９を取り除かねばならず余計な工数を必要とするという問題を有していた。
【０００６】
本発明は前記従来の問題を解決し、簡単な構成で支持金具とガラス枠とをしっかりと固定させがたつきのないような構成を提供することを目的とする。
【０００７】
【課題を解決するための手段】
前記課題を解決するために本発明の焙焼器は、被調理物を調理する焙焼室と、前記焙焼室の開口に設けられガラスと前記ガラスの取付け枠とを有するガラスドアと、前記焙焼室からの出し入れが自在であって被加熱物からの調理飛散物を受ける受け皿と、前記受け皿と一体となり先端に受け皿方向への折り返し部を有するとともに前記折り返し部が前記取付け枠に設けた係合口に挿入されて前記取付け枠と係合するホウロウ塗装された支持金具とを備え、前記折り返し部の先端部又は前記折り返し部をさらに折り曲げて形成される面と前記取付け枠の内側とが当接して前記ガラスドアと前記受け皿とが係合されるとともに、前記折り返し部の根元の折り曲げ部は、前記支持金具が前記取付け枠と係合しても前記係合口より離れた位置になるべく折り曲げられてなる構成とした。
【０００８】
これにより、支持金具の折曲げ部の位置は係合口より離すことができるので、例えば支持金具と係合口とが接してもこの部分ではホウロウは均一に塗布されているため、ホウロウの塊の影響を防ぐことができる。また折り返し部にたとえ塊が生じたとしてもこの部分はガラス枠に接しないので、その影響は生じない。
【０００９】
したがって支持金具とガラス枠とはしっかり固定されることになり、がたつくことがないようにすることができる。
【００１０】
【発明の実施の形態】
請求項１に記載の発明は、被調理物を調理する焙焼室と、前記焙焼室の開口に設けられガラスと前記ガラスの取付け枠とを有するガラスドアと、前記焙焼室からの出し入れが自在であって被加熱物からの調理飛散物を受ける受け皿と、前記受け皿と一体となり先端に受け皿方向への折り返し部を有するとともに前記折り返し部が前記取付け枠に設けた係合口に挿入されて前記取付け枠と係合するホウロウ塗装された支持金具とを備え、前記折り返し部の先端部又は前記折り返し部をさらに折り曲げて形成される面と前記取付け枠の内側とが当接して前記ガラスドアと前記受け皿とが係合されるとともに、前記折り返し部の根元の折り曲げ部は、前記支持金具が前記取付け枠と係合しても前記係合口より離れた位置になるべく折り曲げられてなる構成とした。
【００１１】
また、支持金具の先端の折り返し部の受け皿方向への曲げ角度を鋭角にする構成とした。
【００１２】
また、支持金具の先端の折り返し部をコの字状にする構成とした。
【００１３】
そして、折り曲げ部の位置を係合口より離すことが出来るので、ホウロウの塊の影響を受けることなく支持金具とガラスドアとをしっかりと係合することが出来る。
【００１４】
【実施例】
以下、本発明の一実施例について、図面を参照して説明する。
【００１５】
なお、本発明でいう焙焼器とは、魚などを焼くのみの専用の焙焼器および誘導加熱調理器やガス調理器等のように他の調理機能を有する調理器のひとつの調理機能として用いられる焙焼器の両方を含めたものである。これは焙焼という機能から見るとほとんど同じ構成であり、支持金具とガラスドアの係合に関してはいずれにも共通の構造であるからである。
【００１６】
（実施例１）
図１は本発明の実施例１の焙焼器の要部断面図である。なお、従来例と同一構成には同一符号をつけ説明を省略する。
【００１７】
本実施例の特徴は受け皿８の支持金具９とガラスドアのガラス枠１０との係合部分の構成である。図においてガラス枠１０の係合口１６に支持金具９を挿入し、支持金具９の折り返し部２１の先端がガラス枠１０の内側に当接するようにした。これにより支持金具９の折り曲げ部１８は係合口１６よりも離れた位置に設けることができるので、折り曲げ部１８にホウロウの塊ができたとしてもその影響を受けることなく、しっかりと支持金具９とガラス枠１０とを係合することができる。したがって、ガラス枠１０と折り返し部２１の先端部との当接も安定し、係合口を支点として受け皿８の重みで生じる曲げモーメントＭに対してもがたつかなくするようにすることができる。
【００１８】
また、図２は支持金具９とガラス枠１０との係合構成を示す拡大図で、折り返し部２１をさらに折り曲げ、ガラス枠１０と面で当接するようにしたものである。
【００１９】
（実施例２）
図３は本発明の実施例２の焙焼器の要部拡大断面図である。図１及び図２が係合口１６の面に対して支持金具を垂直に挿入しているのに対して図３は斜めに挿入した場合を示したものである。この部分のホウロウ塗膜は均一であり塗膜の塊の影響を受けない。
【００２０】
（実施例３）
図４は本発明の実施例３の焙焼器の受け皿８の支持金具９とガラスドアのガラス枠１０との係合部分の構成を示す断面図である。
【００２１】
実施例１と異なる点は折り返し部２１をコの字状に構成した点である。本実施例において、コの字状の先端部分がガラス枠１０の内側と当接するようにしている。これにより実施例１と同様の効果を得ることが出来る。また、図５は折り返し部２１の先端を巾方向に折り曲げてコの字状としたものであり、このようにすることによりガラス枠１０との接触を線接触とすることができる。
【００２２】
【発明の効果】
以上のように請求項１ないし３の発明によれば、受け皿の支持金具に折り返し部を設けた構成としているので、支持金具とガラス枠とを係合してもガラス枠の係合口と折り返し部との距離を十分取ることができるので、折り返し部の根元の折り曲げ部にホウロウの塊が出来たとしても、その影響を受けることなく支持金具とガラス枠とをしっかり固定することができる。したがってホウロウの塊を取り除く必要がなく製造工程を短縮できる。また、受け皿ががたつかない品質のよいものとすることができる。
【図面の簡単な説明】
【図１】  本発明の実施例１の焙焼器の要部断面図
【図２】  同焙焼器の支持金具とガラス枠との係合構成を示す要部拡大断面図
【図３】  本発明の実施例２の焙焼器の支持金具とガラス枠との係合構成を示す要部拡大断面図
【図４】  本発明の実施例３の焙焼器の支持金具とガラス枠との係合構成を示す要部拡大断面図
【図５】  同焙焼器の他の支持金具とガラス枠との係合構成を示す要部拡大断面図
【図６】  焙焼器の外観斜視図
【図７】  従来の焙焼器の要部断面図
【図８】  （ａ）従来の焙焼器の支持金具とガラス枠との係合構成を示す要部拡大断面図
（ｂ）支持金具にホウロウの塊が付着した状態を示す断面図
（ｃ）図８（ｂ）の支持金具を用いたときの係合構成を示す要部拡大断面図
【符号の説明】
７    焙焼室
８    受け皿
９    支持金具
１０  ガラス枠（ガラス取付け枠）
１６  係合口
２１  折り返し部
【図１】
0003642256.tif 000002
【図２】
0003642256.tif 000003
【図３】
0003642256.tif 000004
【図４】
0003642256.tif 000005
【図５】
0003642256.tif 000006
【図６】
0003642256.tif 000007
【図７】
0003642256.tif 000008
【図８】
0003642256.tif 000009